(57)【要約】【課題】広大な駐車面積の駐車場であっても、自車の駐車位置を遠方から容易に確認することが可能な駐車位置表示体の提供を課題とする。【解決手段】駐車位置表示体１は、三角錐体構造の表示体本体２と、表示体本体２の底面側の三角プレートに設けられ、自車のルーフ部分Ｒに表示体本体２を着脱自在に固定するためのマグネット部４と、表示体本体２から延設され、自車Ｃに表示体本体２が固定された状態で自車Ｃの車内に一部が引込まれ、自車ＣのウインドウＷ及びフレームＦの間で固定される紐体６と、紐体６の先端６ａに取付けられ、ウインドウＷに車内側から押付けられて当該ウインドウＷと固定するための吸盤７とを具備する。【選択図】図４
0003178221.tif 000002
【実用新案登録請求の範囲】
【請求項１】
三角錐体構造の表示体本体と、
前記表示体本体の少なくとも一面に設けられ、自動車のボディの外表面の一部に前記表示体本体を着脱自在に固定するためのマグネット部と、
前記表示体本体から延設された紐体と
を具備することを特徴とする駐車位置表示体。
【請求項２】
前記紐体の先端に取付けられ、車内の一部に前記紐体を固定するための紐体固定部をさらに具備することを特徴とする請求項１に記載の駐車位置表示体。
【請求項３】
自車を識別するための識別部を有し、前記表示体本体の一面の形状に合わせて形成された三角形状の識別シートと、
前記表示体本体に設けられ、前記識別シートを着脱自在に取付けるための識別シート取付部と
を具備することを特徴とする請求項１または請求項２に記載の駐車位置表示体。
【請求項４】
四枚の平板状の三角プレートが連なって形成され、前記三角プレートのプレート辺に沿って折曲げることにより、三角錐体構造の表示体本体を構築可能なシート状の展開シートと、
前記表示体本体の少なくとも一面に設けられ、自動車のボディの外表面の一部に、構築された前記表示体本体を着脱自在に固定するためのマグネット部と、
前記三角錐体展開シートから延設された紐体と
を具備することを特徴とする駐車位置表示体。
【考案の詳細な説明】
【技術分野】
【０００１】
本考案は、駐車場に駐車した自車の駐車位置を視認する目印となる駐車位置表示体に関するものである。
【背景技術】
【０００２】
ショッピングセンター等の大型商業施設、遊園地等のレジャー施設には、マイカー利用者の集客数の向上を図るため、当該施設の周囲に広大な駐車面積を確保し、数百台から数千台の自動車を収容可能な大型駐車場が付設されていることが多い。また、空港の周囲には、当該空港を基点として観光やビジネスに出掛ける空港利用者の利便性を図るために大型駐車場が設けられている。さらに、高速道路のサービスエリアやパーキングエリア、或いは一般道に設けられた道の駅等にも同様に多数台の収容が可能な駐車場が設けられている。
【０００３】
上記のような、広大な駐車面積を有する駐車場を利用する場合、利用者は駐車の際に予め自車の駐車位置を確認した上で当該駐車位置から離れることを行っている。例えば、駐車場における自車の駐車位置の相対的な位置関係（駐車場入口付近、或いは出口付近、または施設入場口の近く等）、駐車位置から視認できる目印の位置（施設の建物、標識等）を記憶している。駐車スペースを複数のゾーンに区画し、各ゾーン毎に名称や符号を付すことにより、利用者が駐車位置を記憶するための有益な情報が提供されていることもある。そして、施設等において目的を完了した利用者は、上記の駐車時の記憶を頼りに自車の駐車位置のおおよその場所を特定し、さらに自車の車種、車体色、及びナンバープレート等のその他の情報を総合的に組合わせて駐車位置の特定及び自車の発見を行っている。
【考案の概要】
【考案が解決しようとする課題】
【０００４】
しかしながら、上記の手法によって駐車位置の特定及び自車の発見を行う場合、下記に掲げる不具合を生じることがあった。すなわち、駐車時における記憶が曖昧であったり、或いは完全に失念してしまった場合、駐車位置の特定に多くの時間を要することがあった。特に、空港の周囲に設けられた駐車場の場合、長期の旅行等によって駐車日から、数日或いは数週間近くの日数を経過してから駐車位置を探すこともあり、記憶が曖昧或いは完全に失念してしまう可能性が高かった。また、旅行先でレンタカーを借りた場合、車種や車体色に馴染みがなく、自車を識別するための情報が乏しいため、同様に駐車位置の特定をさらに困難とすることがあった。
【０００５】
さらに、自車が販売台数の多い車種の場合、車種及び車体色の同じ車が同一駐車スペースに多数駐車されていることがあり、駐車位置の特定がより困難となる場合があった。この場合、ナンバープレートや車内の状況等の自車を確実に識別できる情報に基づいて特定する必要があり、係る情報は駐車位置から遠方からでは確認することができなかった。そのため、確認対象のそれぞれの車の駐車位置まで近づいてそれぞれ確認する必要があり、駐車位置の特定に多くの時間を要する可能性があった。
【０００６】
そこで、本考案は、上記実情に鑑み、駐車場で自車の駐車位置を容易に特定することが可能な駐車位置表示体の提供を課題とするものである。
【課題を解決するための手段】
【０００７】
本考案の駐車位置表示体は、「三角錐体構造の表示体本体と、前記表示体本体の少なくとも一面に設けられ、自動車のボディの外表面の一部に前記表示体本体を着脱自在に固定するためのマグネット部と、前記表示体本体から延設された紐体と」を具備している。
【０００８】
ここで、表示体本体とは、三角錐体構造（四面体構造）を呈する立体的形状のものであり、自車の駐車位置を視認及び特定するための目印となるものである。表示体本体を立体的な形状とすることにより、自動車のボディの外表面の一部（詳細は後述する）から当該表示体本体が突設したものとなり、遠方からであっても表示体本体を視認することが可能となる。なお、表示体本体の材質は、特に限定されるものではないが、室外の駐車場で使用される可能性もあるため、太陽光（紫外線）に対する耐候性及び雨水等に対する耐水性を備えるものが好適である。例えば、ポリプロピレンやポリエステル等のプラスチック材料を使用したものが挙げられる。
【０００９】
さらに、表示体本体は各面に、例えば、単一色の彩色を施したもの、或いは、文字、記号、及びイラスト等が表示されているものであってもよい。
【００１０】
また、表示体本体の各面に油性マーカー等によって氏名やメッセージ等の文字を直接筆記可能とするものや、筆記した文字を消去し、再び筆記可能とした構成とするものであってもよい。
【００１１】
さらに、遠方からの視認性を高めるために、ホログラム等の光反射材料を用いたり、夜間の視認性を良好とするために上記文字等を蛍光性或いは蓄光性の塗料を用いて表示体本体の各面を構成するものであっても構わない。
【００１２】
一方、マグネット部とは、上記表示体本体を自動車のボディの外表面の一部、例えば、自動車のルーフ部分やボンネット部分に、遠方から視認することができる表示体本体を固定するためのものである。ここで、ルーフ部分等の自動車のボディの大部分は、スチールなどの金属材料を用いて形成されているため、マグネット部の磁力によって着脱自在に表示体本体を貼着固定することが可能となる。また、使用しない場合には、当該磁力に抗する力でルーフ部分等から引き離すことによって表示体本体の取外しが容易に可能となる。さらに、使用時に強風等によって自動車の一部から表示体本体を落下させようとする力が作用した場合であっても、マグネット部の磁力によって固定状態を維持することができる。
【００１３】
さらに、紐体とは、表示体本体の一部から延設された細長い紐状のものであり、駐車時に紐体の一部を車内に引込んだ状態で使用することができる。例えば、自動車のウインドウ及びウインドウの周囲のフレームの間、或いはドア及びドアフレームの間に紐体の一部を挟込み、紐体の先端が車内に位置するようにして、ハンドルなどに結び付ける。これにより、マグネット部による表示体本体の固定に加え、紐体によっても表示体本体を自動車に固定することができる。なお、紐体は自動車の車外のドアミラーなどに結び付けて固定してもよい。
【００１４】
さらに、紐体の一部が車内に引込まれている場合、表示体本体が自動車のボディに固定されていることが一見して明らかであるため、自車に戻った後で表示体本体を取り込まずに走行するおそれを回避することができる。また、表示体本体が自動車と固定されているため、駐車位置表示体を他車に付け替えるような第三者によるいたずらを防止することもできる。
【００１５】
したがって、本考案の駐車位置表示体によれば、三角錐体構造の表示体本体が目印としての機能を果たし、遠方からの視認性が高められる。さらに、強風に晒された場合であってもマグネット部の磁力により表示体本体が自動車から容易に脱落することがない。さらに、紐体の使用により、付け替えなどのいたずら行為を防止するとともに、駐車位置表示体の使用状態を車内からであっても確認することが可能となる。
【００１６】
さらに、本考案の品質管理シートは、上記構成に加え、「前記紐体の先端に取付けられ、車内の一部に前記紐体を固定するための紐体固定部」を具備するものであっても構わない。
【００１７】
ここで、紐体固定部とは、紐体の一部を車両本体の内部に固定するためのものであり、自動車の窓ガラスの平らなガラス面に大気圧を応用して吸着させる吸盤、或いは、車内の一部の被係止部と係合可能な鉤状のフック等の構成を例示することができる。
【００１８】
したがって、本考案の駐車位置表示体によれば、紐体の先端に設けられた紐体固定部によって車内の一部と紐体とを強固に固定することにより、他車への付け替えや持ち去り等の行為をさらに確実に防止することが可能となる。なお、吸盤やフック等の紐体固定部は、上述したウインドウ及びフレームの間の隙間よりも大きいため、係る紐体固定部と車両の一部との固定が解除された場合でも、紐体固定部が当該隙間を通り抜けることがない。そのため、上記行為をより確実に防止することが可能となる。なお、紐体を構成する材料を、例えば、金属等からなるチェーンで構成することにより、紐体を切断し、表示体本体のみを持ち去ろうとする行為をさらに抑制することが可能となる。
【００１９】
さらに、本考案の駐車位置表示体は、上記構成に加え、「自車を識別するための識別部を有し、前記表示体本体の一面の形状に合わせて形成された三角形状の識別シートと、前記表示体本体に設けられ、前記識別シートを着脱自在に取付けるための識別シート取付部と」を具備するものであっても構わない。
【００２０】
ここで、識別シートとは、薄板状（シート状）の構成を呈し、例えば、表面に利用者の氏名やニックネーム等の文字、数字、或いは「★」等の記号、単色または多色で構成された色彩または模様、その他のイラストからなる識別部が描画されたものであり、自己の駐車位置を特定をさらに容易にするためのものである。識別シートは、予め複数を用意し、使用する状況に応じて文字やイラスト、色彩や模様などの識別部がそれぞれ異なる識別シートを変更し、表示体本体に取付けて使用することができる。例えば、日中での使用が主となる場合、前述したホログラム素材等の光反射性材料を使用した識別シートを用いたり、或いは、夜間の使用が主となる場合、蛍光性塗料等を用いてイラストや文字等が描画された識別シートを用いる等の使い分けを行うことができる。これにより、使用状況に応じた視認性をさらに向上させることが可能となる。
【００２１】
識別シート取付部は、表示体本体の各頂点近傍をシートで被覆し、かつ当該シート及び表示体本体の一面の間に隙間を形成した構成のものを例示することができる。これにより、三角形状に形成された識別シートの各頂点部分を上記隙間に挿入し、識別シートの各頂点をシートによって抑えることが可能となり、表示体本体に対する識別シートの取付を維持することができる。さらに、識別シートを交換する場合は、上記隙間への識別シートの頂点部分の挿入を解除することにより、表示体本体から識別シートを簡易に取外すことができ、新たな識別シートに取付けることが可能となる。さらに、表示体本体の三角形状の一面を透明シートで被覆し、かつ三角形の一辺に相当する箇所に透明シート及び表示体本体の一面の間に隙間を形成したものであってもよい。これにより、上記隙間から識別シートを挿入し、表示体本体の一面及び透明シートの間に挟み込んだ状態で識別シートを表示体本体に取付けることができる。なお、この場合、透明シートを使用することにより、識別シートの識別部の視認性が損なわれることがない。
【００２２】
したがって、本考案の駐車位置表示体によれば、表示体本体に自車を識別するための識別部を有する識別シートが識別シート取付部を介して取付けられる。駐車場に本考案の駐車位置表示体を使用する車が駐車場内に多数存在した場合であっても、他車との識別性が高められ、遠方からであっても自車の駐車位置の特定が容易となる。
【００２３】
一方、本考案の駐車位置表示体は、「四枚の平板状の三角プレートが連なって形成され、前記三角プレートのプレート辺に沿って折曲げることにより、三角錐体構造の表示体本体を構築可能なシート状の展開シートと、前記表示体本体の少なくとも一面に設けられ、自動車のボディの外表面の一部に、構築された前記表示体本体を着脱自在に固定するためのマグネット部と、前記三角錐体展開シートから延設された紐体と」を具備して構成されている。
【００２４】
ここで、展開シートは、立体的形状の三角錐体構造の表示体本体を構築するための展開図に相当するものであり、四枚の平板状の三角プレートが連なって形成されて構成されている。なお、三角プレートのプレート辺に沿って折曲げて構築された表示体本体の三角錐体構造を保持するために、例えば、三角プレートのプレート辺の一部から、所謂「のりしろ」に相当する構成を延設したものであっても構わない。係る「のりしろ」をプレート辺に沿って折曲げ、三角プレートの裏面側に当接させることにより、三角錐体構造を保持することができる。なお、隣接する三角プレートを粘着テープで留め付けたり、「のりしろ」部分に接着剤を塗布しない場合は、使用後に表示体本体を解体し、再び展開シートの状態にすることが可能となる。ここで、マグネット部、紐体の構成は、既に説明を行ったものと同種のものであるため、ここでは説明を省略する。
【００２５】
したがって、本考案の駐車位置表示体によれば、四つの三角プレートを有した展開シートを組立てることにより、立体的形状の三角錐体構造の表示体本体を構築することが可能となる。これにより、本考案の駐車位置表示体の販売を行う場合、シート状に展開された展開シートの状態で流通させることができ、製造から出荷までの保管時、及び問屋や小売店までの搬送時、及び小売店での在庫保管時や商品陳列時において、必要なスペースを小さく抑えることができる。
【００２６】
また、使用者は、展開シートの態様に展開することで嵩張ることがなく、車内や室内に保管しやすくなる。一方、使用する場合には、三角錐体構造の表示体に速やかに組立てることが可能となる。さらに、表示体本体を目印として使用しない場合には、表示体本体の内部の空間に、ハンカチなどの小物を収容するための収容容器として使用することが可能である。また、上記空間にお菓子を収容し、本実施形態の駐車位置表示体をノベルティグッズとして販売促進活動に使用することも可能である。
【考案の効果】
【００２７】
本考案の駐車位置表示体によれば、自動車の一部（ルーフ部分等）に着脱自在に固定される三角錐体構造の表示体本体を目印として、自車の駐車位置を遠方からであっても容易に視認することができ、駐車位置の特定を速やかに行うことができる。
【図面の簡単な説明】
【００２８】
【図１】本実施形態の駐車位置表示体の概略構成を示す斜視図である。
【図２】駐車位置表示体の表示体本体を展開した状態を示す説明図である。
【図３】駐車位置表示体の概略構成を示す正面図である。
【図４】駐車位置表示体の使用の一例を模式的に示す説明図である。
【図５】識別シート及び識別シート取付部の構成を示す説明図である。
【図６】駐車位置表示体の使用の応用例を示す説明図である。
【図７】駐車位置表示体の表示体本体を展開した状態の別例を示す説明図である。
【考案を実施するための形態】
【００２９】
以下、本考案の一実施形態である駐車位置表示体１について、主に図１乃至図５に基づいて説明する。ここで、本実施形態の駐車位置表示体１は、空港やショッピングセンター等の大型商業施設に付設された駐車面積を有する駐車場の一区画に駐車された施設利用者の自動車Ｃ（以下、単に「自車Ｃ」と称す）について使用した例に基づいて主に説明を行うものとする。
【００３０】
本実施形態の駐車位置表示体１は、図１乃至図５に示すように、正三角錐体構造（正四面体構造）の立体的形状からなる表示体本体２と、該表示体本体２の底面側の三角プレート８ａに取付けられたマグネット部４と、三角プレート８ａと相対する表示体本体２の頂点５ａから延設されたビニール製の細紐状の紐体６と、紐体６の先端６ａに設けられた吸盤７とを具備している。ここで、吸盤７が本考案における紐体固定部に相当する。
【００３１】
さらに具体的に説明すると、表示体本体２は、正三角形の平板状の四枚の三角プレート８ａ，８ｂ，８ｃ，８ｄが連なって形成された、一枚のシート状の展開シート９から構成されている（図２参照）。当該展開シート９は、それぞれの三角プレート８ａ，８ｂ，８ｂ，８ｃのプレート辺１０に沿って三箇所で折曲げることにより、展開された一枚の展開シート９から正三角錐体構造の表示体本体２を構築することができる。
【００３２】
さらに、表示体本体２は、各々の三角プレート８ａ，８ｂ，８ｃ，８ｄの折曲げられるプレート辺１０以外の三箇所のプレート辺１１から延設された台形状の延設片１２を有している。これにより、三箇所のプレート辺１１に沿って延設片１２を折曲げ、三角プレート８ａ，８ｂ，８ｃ，８ｄの裏面側（図２における紙面奥行側に相当）と延設片１  ２とを当接するように重ね合わせることで三角プレート８ａ，８ｂ，８ｃ，８ｄ同士の離間が制限され、三角錐体構造を保持することが可能となる。なお、延設片１２を「のりしろ」として使用し、接着剤を使用して三角錐体構造を強固に保持するものであっても構わない。ここで、展開シート９（表示体本体２）は、プラスチック材料をシート状に成形加工したプラスチックシートによって構成されている。
【００３３】
一方、マグネット部４は、上述した表示体本体２の底面側に位置する三角プレート８ａに接着剤を使用して三箇所に取付けられている。具体的に説明すると、マグネット部４は、三角プレート８ａの三つの頂点近傍、換言すれば、表示体本体２の底面側の三つの頂点５ｂ，５ｃ，５ｄのそれぞれ近傍に取付けられている。ここで、マグネット部４は、直径方向の長さに対して高さ方向が短く設定された円柱状構造のものが用いられている（図２及び図３参照）。
【００３４】
さらに、本実施形態の駐車位置表示体１は、その他の構成として、図５に示すように、表示体本体２の各々の頂点５ａ，５ｂ，５ｃ，５ｄの近傍を被覆するとともに、表示体本体２のそれぞれの一面との間に隙間を形成するように設けられた透明シート１７を有している。ここで、透明シート１７が本考案における識別シート取付部に相当する。また、駐車位置表示体１は、表示体本体２の一面の正三角形状に合致する外形状を備える複数枚の識別シート１８を有している。ここで、識別シート１８は、シート表面１８ａに文字、図形、記号、及びイラスト等の自車Ｃの位置を遠方からでも容易に識別するための識別部１９（図５における「花」、「★」が相当）が表示されたものである。そして、透明シート１７及び表示体本体２の間に形成された隙間に、三角形状の識別シート１８の各頂点１８ｂ，１８ｃ，１８ｄを挿込むことにより、表示体本体２の各面に識別シート１８を三点で抑えた状態で取付けることが可能となる。なお、図５に示すように、予め複数の識別シート１８を用意し、使用状況に応じて自由に交換することもできる。なお、図示を簡略化するため、図１乃至図４において透明シート１７及び識別シート１８に係る構成を省略して示している。
【００３５】
次に、本実施形態の駐車位置表示体１の使用の一例を主に図４に基づいて説明する。なお、本実施形態において、表示体本体２は、展開シート９から三角プレート８ａ，８ｂ，８ｃ，８ｄをプレート辺１０に沿って折曲げ、さらに延設片１２を折曲げによって対向する位置にある三角プレート８ａ等の裏面側に当接するように重ね合わせることで三角錐体構造のものとして予め構築されている。そして、空港の駐車場の任意の駐車位置に自車Ｃを駐車した施設利用者は、自車Ｃのルーフ部分Ｒに表示体本体２を載置する。このとき、表示体本体２の底面側の三角プレート８ａに取付けられた三箇所のマグネット部４の磁力によってルーフ部分Ｒに表示体本体２が固定される。これにより、自車Ｃの目立つ位置から表示体本体２がさらに突設した状態となり、表示体本体２が遠方からの視認性を良好にする目印となる。また、マグネット部４の作用によって、ルーフ部分Ｒから容易に外れることがなく、強風等によっても上記の固定された状態が不用意に解除される可能性がほとんどない。
【００３６】
次に、表示体本体２から延設された紐体６の一端６ａ側を自車Ｃの車外から車内側に引込む。さらに、自車ＣのウインドウＷ及びウインドウＷの周囲のフレームＦの間で紐体６の一部を挟込む。そして、紐体６の一端６ａに取付けられた吸盤７をウインドウＷのガラス平面に車内から押付け、大気圧の作用を利用して吸着させる。これにより、紐体６の一部が車内に引込まれた状態で、かつ、車内と紐体６とが固定される（図５参照）。これにより、本実施形態の駐車位置表示体１の自車Ｃへの装着が完了する。その後、空港の施設利用者は当該駐車位置から離れる。
【００３７】
上述した駐車位置表示体１の設置状態では、表示体本体２から延設された紐体６の一部がウインドウＷ及びフレームＦの間に挟込まれ、かつ吸盤７によって車内に固定されているため、表示体本体２が持ち去られたり、他車に付け替えられる等の駐車場内でのいたずらを防止することができる。
【００３８】
その後、所定の目的を終えた施設利用者は、自車Ｃの駐車位置の近辺まで戻って来る。このとき、ルーフ部分Ｒに目印として、表示体本体２が突設されているため、遠方からであっても当該目印を容易に視認することができ、施設利用者は自車Ｃの駐車位置まで躊躇することなく到達することができる。そして、自車Ｃの駐車位置に達した後、装着の場合と逆の手順によって、吸盤７の解除、ウインドウＷ及びフレームＦによる紐体６の挟込みの解除、及びルーフ部分Ｒからの表示体本体２の取外しを行う。ここで、駐車位置表示体１の使用時は、紐体６の一部が車内に引込まれた状態で固定されているため、運転席等からでも駐車位置表示体１の使用状態を確認することができる。そのため、表示体本体２をルーフ部分Ｒに固定したままで駐車位置から自車Ｃの走行を開始することを防ぐことができる。
【００３９】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００４０】
例えば、本実施形態の駐車位置表示体１において、展開シート９から立体的形状の三角錐体構造を構築するものを示したがこれに限定されるものではなく、予め三角錐体構造し、四面にそれぞれ三角プレート面を備える表示体本体を採用したものであっても構わない。さらに、マグネット部４として、底面側の三角プレート８ａの三箇所の位置に円柱状構造の磁石を使用するものを示したがこれに限定されるものではなく、所謂「マグネットシート」を表示体本体２の一面の全体に取付けるものであっても構わない。
【００４１】
さらに、底面側の三角プレート８ａにのみマグネット部を取付けるものを示したが、それ以外の三角プレート８ｂ，８ｃ，８ｄにそれぞれ設けるものであっても構わない。また、本実施形態の駐車位置表示体１のように、内部に空間を有する表示体本体２の場合、例えば、図６に示すように、当該空間にお菓子などの物品Ｏを収容する収容容器として使用するものであってもよい。さらに、プレート辺１０に沿った三角プレート８ａ，８ｂ，８ｃ，８ｄの折曲げをいずれの方向に行うものであってもよい。例えば、各三角プレート８ａ，８ｂ，８ｃ，８ｄの表面（図２における紙面手前側）及び裏面をそれぞれ異なる色彩や模様、或いは素材で構成することで、リバーシブル可能な表示体本体２として使用状況に応じた使い分けを容易に行うことができる。
【００４２】
さらに、図７に示すように、プレート辺１０以外の六つのプレート辺１１の中の三つに、プレート辺１１の中央付近から突設した台形状の挿込片２０と、プレート辺１０に沿って折曲げられた際に挿込片２０の設けられたプレート辺１１と対向する三つのプレート辺１１から延設され、挿込片２０の挿込可能な挿込孔２１がプレート辺１１に沿って貫設された被挿込片２２を備える展開シート２３を用いるものであってもよい。これにより、プレート辺１０に沿って各三角プレート８ａ，８ｂ，８ｃ，８ｄをそれぞれ折曲げ、さらに挿込片２０を対向する被挿込片２２の挿込孔２１に挿込んで係合状態とすることにより、三角プレート８ａ，８ｂ，８ｃ，８ｄの離間が制限され、三角錐体構造をさらに保持することができる。また、挿込片２０及び挿込孔２１の係合状態を解除することにより、再びシート状の展開シート２３の態様に戻すことができる。なお、図７において、本実施形態の駐車位置表示体１の展開シート９と同一構成については、同一番号を付し説明を省略している。
【符号の説明】
【００４３】
１  駐車位置表示体
２  表示体本体
４  マグネット部
６  紐体
６ａ  紐体の先端
７  吸盤（紐体固定部）
８ａ，８ｂ，８ｃ，８ｄ  三角プレート
９，２３  展開シート
１０，１１  プレート辺
１７  透明シート（識別シート取付部）
１８  識別シート
１９  識別部
Ｃ  自車（自動車）
Ｒ  ルーフ部分（自動車のボディの外表面の一部）
【図１】
0003178221.tif 000003
【図２】
0003178221.tif 000004
【図３】
0003178221.tif 000005
【図４】
0003178221.tif 000006
【図５】
0003178221.tif 000007
【図６】
0003178221.tif 000008
【図７】
0003178221.tif 000009